(57)【要約】【課題】  簡単な構成で既設の開口枠に適用することができ、改装が簡単で且つコストが安くなる。【解決手段】  既設の開口枠１に走行自在に取付けてある既設の障子枠２に代えて既設の開口枠１に取付ける改装用障子枠３である。新規の障子枠材４を組立てて形成した新規の障子枠主体５に改装用アタッチメント枠材６を取付けて改装用障子枠３を構成する。改装用アタッチメント枠材６が、新規の障子枠材４のうち新規の下枠用の障子枠材４ａに取付けられる既設の開口枠１のレール７に走行自在なころ８を有する改装用下枠アタッチメント枠材６ａである。【選択図】図１
2008115624.tif 000002
【特許請求の範囲】
【請求項１】
既設の開口枠に走行自在に取付けてある既設の障子枠に代えて既設の開口枠に取付ける改装用障子枠であって、新規の障子枠材を組立てて形成した新規の障子枠主体に改装用アタッチメント枠材を取付けて改装用障子枠を構成し、上記改装用アタッチメント枠材が、新規の障子枠材のうち新規の下枠用の障子枠材に取付けられる既設の開口枠のレールに走行自在なころを有する改装用下枠アタッチメント枠材であることを特徴とする改装用障子枠の構造。
【請求項２】
新規の障子枠材のうち新規の縦枠用の障子枠材に改装用戸先アタッチメント枠材を取付けて成ることを特徴とする請求項１記載の改装用障子枠の構造。
【発明の詳細な説明】
【技術分野】
【０００１】
本発明は、既設の開口枠に走行自在に取付けてある既設の障子枠に代えて既設の開口枠に取付ける改装用障子枠に関するものである。
【背景技術】
【０００２】
既設の開口枠に既設の障子枠を走行自在に取付けて既設の窓装置を構成してあるが、長時間の使用により既設の障子枠が古くなったり、あるいは損傷したりした場合、既設の障子枠のみを新規の障子枠に交換して残っている既設の開口枠に走行自在に取付けることができなった。
【０００３】
すなわち、既設の窓装置は生産されてからの期間が長く、既に生産中止になっている場合が多い。しかも、既設の開口枠の断面形状と、現在生産、販売されている窓装置における新規の開口枠の断面形状とは一致せず、このため、現在生産、販売されている障子枠を既設の開口枠に走行自在に取付けることはできない。
【０００４】
したがって、既設の障子枠を取り換えようとする場合は、既設の障子枠だけでなく、既設の開口枠毎取り換えているのが現状である。ところが、既設の開口枠毎取り換えるものにおいては、建物開口部分を壊して既設の開口枠を取り外し、その後、新規の開口枠を取付けるため、大掛かりな工事となり、また、新規の開口枠、新規の障子枠が新たに必要となり、これらの理由により改装費用が高くなるという問題がある。
【０００５】
そこで、既設の開口枠を残したまま、既設の開口枠の内周部に改装用の開口枠を取付けて改装用の開口枠により既設の開口枠を覆い隠し、この新たに取付けた改装用の開口枠に、改装用の障子枠を走行自在に取付けることが従来から知られている（例えば特許文献１参照）。
【０００６】
ところが、上記特許文献１に示されるような既設の開口枠の内周部に改装用の開口枠を取付けて既設の開口枠を覆い隠すという改装構造においては、改装用の開口枠の開口が既設の開口枠の開口の大きさよりも小さくなってしまうという問題がある。また、この従来例においても、改装用の開口枠、改装用の障子枠を新たに必要とするため、改装費用が高くなるという問題がある。
【特許文献１】特開２００３−８２９４２号公報
【発明の開示】
【発明が解決しようとする課題】
【０００７】
本発明は上記の従来の問題点に鑑みて発明したものであって、簡単な構成で既設の開口枠に適用することができ、改装が簡単で且つコストが安くなる改装用障子枠の構造を提供することを課題とするものである。
【課題を解決するための手段】
【０００８】
上記課題を解決するために本発明に係る改装用障子枠の構造は、既設の開口枠１に走行自在に取付けてある既設の障子枠２に代えて既設の開口枠１に取付ける改装用障子枠３であって、新規の障子枠材４を組立てて形成した新規の障子枠主体５に改装用アタッチメント枠材６を取付けて改装用障子枠３を構成し、上記改装用アタッチメント枠材６が、新規の障子枠材４のうち新規の下枠用の障子枠材４ａに取付けられる既設の開口枠１のレール７に走行自在なころ８を有する改装用下枠アタッチメント枠材６ａであることを特徴とするものである。
【０００９】
このような構成とすることで、新規の障子枠材４を組立てて形成した新規の障子枠主体５に改装用アタッチメント枠材６を取付けるだけで、既設の開口枠１を残したまま、改装ができる。しかも、改装用アタッチメント枠材６が、新規の障子枠材４のうち新規の下枠用の障子枠材４ａに取付けられる既設の開口枠１のレール７に走行自在なころ８を有する改装用下枠アタッチメント枠材６ａであるので、改装用下枠アタッチメント枠材６ａを取付けることで、既設の開口枠１のレール７に改装用障子枠３のころ８を走行させることができる。
【００１０】
また、新規の障子枠材４のうち新規の縦枠用の障子枠材４ｂに改装用戸先アタッチメント枠材６ｂを取付けることが好ましい。
【００１１】
このような構成とすることで、改装用障子枠３を閉じた際に既設の開口枠１の縦枠９に改装用障子枠３の戸先部分をぴったりと収めることができる。
【発明の効果】
【００１２】
本発明は、上記のように構成したので、簡単な構成で既設の開口枠に適用することができる改装用障子枠を提供でき、従来のように、既設の開口枠を取り外して新規の開口枠に交換するもののように大掛かりな改装工事が必要でなく、コストも安くなる。また、従来の既設の開口枠の内周部に改装用の開口枠を取付けるものに比べて、開口部が小さくなることがなく、また、改装用の開口枠を必要としないので、改装工事が簡略化され、コストが安くなる。
【発明を実施するための最良の形態】
【００１３】
以下、本発明を添付図面に示す実施形態に基いて説明する。
【００１４】
図３、図４には既設の窓装置が示してあり、図１、図２には本発明の改装用障子枠３を用いた窓装置が示してある。
【００１５】
図３、図４に示す既設の窓装置は、建物の開口部に取付けてある既設の開口枠１と、該既設の開口枠１に走行自在となった障子枠２とで構成してあり、障子枠２にはガラス１１が取付けてある。既設の開口枠１には下枠１０上にレール７が複数列設けてある。
【００１６】
図３、図４の実施形態では隣接する２列のレール７（７ａ、７ｂ）が設けてある例を示しており、レール７ａの上端はレール７ｂの上端よりも低く、レール７ａの上端からレール７ｂの上端までの寸法Ｈは１８．５ｍｍとなっている。したがって、この既設の開口枠１の２列のレール７ａ、７ｂに走行自在に取付けられる２つの既設の障子枠２（既設の障子枠２ａ、２ｂ）はそれぞれ既設の各下枠用の障子枠材１６ａ、１６ｂの上下長さが異なっており、各下枠用の障子枠材１６ａ、１６ｂにそれぞれ設けたころ１２ａ、１２ｂの位置は上記寸法Ｈと同じ寸法だけ上下にずれている。
【００１７】
ここで、図３、図４に示す既設の開口枠１を残して既設の障子枠２のみを本発明の改装用障子枠３に交換する例を実施例として以下説明する。
【００１８】
図５、図６には現在生産、販売されている新規の窓装置を示し、該新規の窓装置は、新規の開口枠１３と新規の障子枠１４とにより構成してある。そして、新規の障子枠１４は新規の障子枠材４（新規の下枠用の障子枠材４ａ、新規の上枠用の障子枠材、新規の縦枠用の障子枠材４ｂ）を組み立てて形成してある。
【００１９】
上記新規の窓装置の開口枠１３には２列のレール１５ａ、１５ｂを設けてあるが、本例ではこの２列のレール１５ａ、１５ｂの各上端は同一レベルとなっている例を示している。したがって、２つの新規の障子枠１４の各下枠用の障子枠材４ａは上下寸法が同じとなっている。なお、２つの新規の障子枠１４の各下枠用の新規の障子枠材４ａには合成樹脂系や木質系の室内側カバー材１７が取付けてある。
【００２０】
本発明の改装用障子枠３は、新規の障子枠材４として現在生産、販売されている上記の新規の障子枠１４を組み立て形成するために用いる障子枠材４をそのまま利用する。
【００２１】
すなわち図１、図２に示すように、新規の障子枠材４（新規の下枠用の障子枠材４ａ、新規の上枠用の障子枠材、新規の縦枠用の障子枠材４ｂ）を切断して所定長さとし、この所定長さに切断した新規の障子枠材４を組み立てて２つの新規の障子枠主体５（新規の障子枠主体５ａ、５ｂ）を形成する。新規の障子枠主体５ａ、５ｂの大きさは同じ大きさとなっており、また、前述の２つの既設の障子枠２ａ、２ｂよりも小さく形成する。新規の障子枠主体５ａ、５ｂにそれぞれ改装用アタッチメント枠材６を取付けて交換しようとする既設の障子枠２ａ、２ｂと同じ大きさの改装用障子枠３（すなわち、改装用障子枠３ａ、３ｂ）を形成する。
【００２２】
改装用アタッチメント枠材６としては、改装用下枠アタッチメント枠材６ａ、改装用戸先アタッチメント枠材６ｂ等がある。
【００２３】
改装用下枠アタッチメント枠材６ａとしては２種類の改装用下枠アタッチメント枠材６ａ１、６ａ２があり、また、改装用戸先アタッチメント枠材６ｂとしては２種類の改装用戸先アタッチメント枠材６ｂ１、６ｂ２がある。
【００２４】
上記改装用下枠アタッチメント枠材６ａ１、６ａ２にはそれぞれころ８（８ａ、８ｂ）が取付けてあり、改装用下枠アタッチメント枠材６ａ１は改装用下枠アタッチメント枠材６ａ２よりも上下長さが長く、改装用下枠アタッチメント枠材６ａ１、６ａ２の上端を同一レベルとした場合、改装用下枠アタッチメント枠材６ａ１に取付けたころ８が改装用下枠アタッチメント枠材６ａ２に取付けたころ８よりも下方に位置している。
【００２５】
図１に示すように改装用下枠アタッチメント枠材６ａ１、６ａ２はそれぞれ２つの新規の障子枠主体５ａ、５ｂの各新規の下枠用の障子枠材４ａに取付けられ、また、図２に示すように改装用戸先アタッチメント枠材６ｂ１、６ｂ２はそれぞれ新規の障子枠主体５ａ、５ｂの戸先側の新規の縦枠用の障子枠材４ｂに取付けられる。この場合、改装用下枠アタッチメント枠材６ａ１、６ａ２の上端部に設けた被係止部１９ａ、改装用戸先アタッチメント枠材６ｂ１、６ｂ２に設けた被係止部１９ｂを、それぞれ新規の下枠用の障子枠材４ａの下端部に設けた係止部２０ａや、戸先側の新規の縦枠用の障子枠材４ｂに設けた係止部２０ｂに係止して位置決めした状態で取付けられる。また、改装用下枠アタッチメント枠材６ａ１、６ａ２にはそれぞれ図１に示すように合成樹脂系や木質系の室内側カバー材２１が取付けられる。
【００２６】
上記のようにして組立て形成した改装用障子枠３ａ、３ｂは、改装用下枠アタッチメント枠材６ａ１が改装用下枠アタッチメント枠材６ａ２よりも上下長さが長い分だけ、上下方向の長さが長くなっており、改装用障子枠３ａは交換しようとする既設の障子枠２ａと同じ大きさとなっており、また、改装用障子枠３ｂは交換しようとする既設の障子枠２ｂと同じ大きさとなっていて、各改装用障子枠３ａ、３ｂをそれぞれ既設の開口枠１の２列の高さの異なるレール７ａ、７ｂにころ８が転動自在となるように既設の開口枠１に取付けることができるようになっている。また、各改装用障子枠３ａ、改装用障子枠３ｂの戸先側は閉じた際に改装用戸先アタッチメント枠材６ｂ１、６ｂ２がそれぞれ既設の開口枠１の縦枠９にぴったりと収まるようになっている。
【００２７】
このように、本発明においては、新規の障子枠材４を組立てて形成した新規の障子枠主体５に改装用アタッチメント枠材６を取付けることで、交換しようとする既設の障子枠２と同じ大きさで且つ下端部及び戸先端部の断面形状が同じ改装用障子枠３を構成でき、既設の開口枠１を残したまま、既設の障子枠２に代えて改装用障子枠３を既設の開口枠１に走行自在に取付けてリフォームできることになる。
【００２８】
したがって、既設の開口枠１を建物から取り外して新規の開口枠を取付けるという従来例に比べ、施工が大幅に簡略化され、低コストで改装が可能となる。また、既設の開口枠１の内周部を覆うように改装用の開口枠を取付ける従来例に比べ、改装用の開口枠を取付ける工事が必要でなく、施工が大幅に簡略化され、低コスト化が図れ、しかも、開口の大きさが改装前に比べ狭くならない。
【図面の簡単な説明】
【００２９】
【図１】本発明の２つの改装用障子枠と既設の開口枠の下枠との関係を示す縦断面図である。
【図２】本発明の２つの改装用障子枠と既設の開口枠の縦枠との関係を示す平断面図である。
【図３】既設の窓装置における２つの障子枠と既設の開口枠の下枠との関係を示す縦断面図である。
【図４】既設の窓装置における２つの障子枠と既設の開口枠の縦枠との関係を示す平断面図である。
【図５】現在生産、販売されている新規の窓装置における２つの障子枠と既設の開口枠の下枠との関係を示す縦断面図である。
【図６】現在生産、販売されている新規の窓装置における２つの障子枠と既設の開口枠の縦枠との関係を示す平断面図である。
【符号の説明】
【００３０】
１  既設の開口枠
２  既設の障子枠
３  改装用障子枠
４  新規の障子枠材
４ａ  新規の下枠用の障子枠材
４ｂ  新規の縦枠用の障子枠材
５  新規の障子枠主体
６  改装用アタッチメント枠材
６ａ  改装用下枠アタッチメント枠材
６ｂ  改装用戸先アタッチメント枠材
７  レール
８  ころ
【図１】
2008115624.tif 000003
【図２】
2008115624.tif 000004
【図３】
2008115624.tif 000005
【図４】
2008115624.tif 000006
【図５】
2008115624.tif 000007
【図６】
2008115624.tif 000008